(57)【特許請求の範囲】
【請求項１】
ヘッドレール（１２）内を移動可能な複数のキャリアの各々からルーバー（１８）が吊下られ、操作部の操作によってマスターキャリアがヘッドレール内を移動して他のキャリアを牽引または押し出すことにより、複数のルーバー（１８）からなるルーバー群が展開、畳み込み動作をする縦型ブラインド（１０）において、
複数のキャリアのうち、両端部に配置されるキャリアがマスターキャリア（１４、１５）となっており、ヘッドレール（１２）内には、外周面にネジが形成された開閉軸（２０）が設けられ、各マスターキャリア（１４、１５）には、該開閉軸（２０）に螺合するリードナット（３２）と、各マスターキャリア（１４、１５）を該開閉軸（２０）の回転に伴い開閉軸（２０）に沿って移動する状態と、開閉軸（２０）の回転によっても移動しない状態とに外部からの切替操作により切り替える切替手段（３４）と、が設けられ、該切替手段（３４）によって、該マスターキャリア（１４、１５）は操作部の操作に応答してヘッドレール（１２）内を移動可能な状態と、操作部の操作に応答しない状態とに切替可能とされることを特徴とする縦型ブラインド。
【請求項２】
前記切替手段（３４）は、リードナット（３２）を回転不能にする状態と、リードナット（３２）を回転自在にする状態とに切替可能で、リードナット（３２）が回転不能の状態になったときには、マスターキャリア（１４、１５）が該開閉軸（２０）の回転に伴い開閉軸（２０）に沿って移動する状態となり、リードナット（３２）が回転自在の状態になったときには、マスターキャリア（１４、１５）が開閉軸（２０）の回転によっても移動しない状態となることを特徴とする請求項１記載の縦型ブラインド。
【請求項３】
ヘッドレール（１２）内を移動可能な複数のキャリアの各々からルーバー（１８）が吊下られ、操作部の操作によってマスターキャリアがヘッドレール内を移動して他のキャリアを牽引または押し出すことにより、複数のルーバー（１８）からなるルーバー群が展開、畳み込み動作をする縦型ブラインド（１０）において、
複数のキャリアのうち、両端部に配置されるキャリアがマスターキャリア（１４、１５）となっており、ヘッドレール（１２）内には、両端部に配置されるマスターキャリア（１４、１５）及びそれ以外の複数のキャリア（１６）を順次挿通する無端状コード（６０）が配回しされ、各マスターキャリア（１４、１５）には、外部からの切替操作により切替可能な切替手段（６４）が設けられており、該切替手段（６４）は、無端状コード（６０）をマスターキャリア（１４、１５）に固定する状態と解放する状態とに切替可能で、無端状コード（６０）がマスターキャリア（１４、１５）に固定されたときには、マスターキャリア（１４、１５）が無端状コード（６０）の移動に伴って移動する状態となり、無端状コード（６０）が解放されたときには、マスターキャリア（１４、１５）が無端状コード（６０）の移動によっても移動しない状態となり、切替手段（６４）によって該マスターキャリア（１４、１５）は操作部の操作に応答してヘッドレール（１２）内を移動可能な状態と、操作部の操作に応答しない状態とに切替可能とされることを特徴とする縦型ブラインド。
【請求項４】
マスターキャリア（１４、１５）とそれに隣り合うキャリア（１６）とは、スペーサリンク（５２）によって連結されており、該スペーサリンクは、マスターキャリアとそれに隣り合うキャリアとを所定間隔を最大間隔として連結するために、その一端がマスターキャリアに固定された固定端（５２ａ）となり、その他端が隣り合うキャリアに対して摺動可能に連結される自由端（５２ｂ）となっており、
各マスターキャリアに一端が固定されたスペーサリンクは、該固定端よりも該自由端の方が他方のマスターキャリアに接近するように設けられることを特徴とする請求項１ないし３のいずれか１項に記載の縦型ブラインド。
【請求項５】
一方のマスターキャリア（１４）とそれに順次隣り合う少なくとも１つのキャリア（１６）にはスペーサリンク（５２）の一端が固定され、スペーサリンク（５２）の他端の自由端が他方のマスターキャリア（１５）側に隣り合うキャリア（１６）に摺動可能に連結され、
他方のマスターキャリア（１５）とそれに順次隣り合う少なくとも１つのキャリア（１６）にはスペーサリンク（５２）の一端が固定され、スペーサリンク（５２）の他端の自由端が一方のマスターキャリア（１４）側に隣り合うキャリア（１６）に摺動可能に連結され、
一方のマスターキャリア（１４）に順次隣り合う少なくとも１つのキャリア（１６）と他方のマスターキャリア（１５）に順次隣り合う少なくとも１つのキャリア（１６）との間にあるキャリア（１６ａ）には、両側に隣り合うキャリア（１６）に一端が固定されたスペーサリンク（５２）の自由端（５２ｂ）が摺動可能に連結されることを特徴とする請求項４記載の縦型ブラインド。
【発明の詳細な説明】
【技術分野】
【０００１】
本発明は、ヘッドレール内を移動可能な複数のキャリアの各々からルーバーが吊下られた縦型ブラインドに関する。
【背景技術】
【０００２】
従来、この種の縦型ブラインドとしては特許文献１に記載されたものが知られている。これによれば、縦型ブラインドのキャリアとしてのランナーが、ランナーケースと、ウォームと、ウォームに噛合わされたウォームホイールと、ウォームホイールに対して相対的に回転自在に貫通する吊具軸と、吊具軸の上端部に一体回転するように設けられるとともにウォームホイール上に載置された断続部材と、吊具軸の下端部に該吊具軸と一体に回転可能に設けられ、翼板を吊下げられる吊具と、を有している。ウォームは、建物の窓面の上端部付近に水平方向に設置される案内軸に対して相対的に回転不可能かつ軸方向に移動自在に嵌合される。
【０００３】
また、先頭ランナーのみには、案内軸と平行に設置されるねじ棒に螺合される雌ねじ体がランナーケースに対して回転不能な状態で収容されている。ねじ棒を一方向に回転すると、このねじ棒に雌ねじ体を螺合されている先頭ランナーが、ランナーに吊下げられている翼板とともに、ねじ棒及びランナー案内軸に沿って引き出し方向に移動され、続いて、先頭ランナーに連結片により連結されている後続の他のランナーも順次それぞれの翼板とともに引き出されていく。
【０００４】
【特許文献１】実公昭５８−４０２３６号公報
【発明の開示】
【発明が解決しようとする課題】
【０００５】
特許文献１記載の構成においては、先頭ランナーとしてのマスターキャリアは、複数のキャリアの中でレールの一方端側に配置され、マスターキャリアが移動することによって、キャリアはレールの他方端方向に向かって畳み込まれるようになっている。通常、このマスターキャリアの位置は、ユーザが、翼板としてのルーバーが畳み込まれる他方端となる側を製品購入時に指定することによって、必然的に決定される。
【０００６】
したがって、一度製品として組み上がってしまうと、マスターキャリアの位置を変更することは容易ではないため、現実として、ルーバーの畳み込み方向を変更することができないという問題がある。
【０００７】
本発明はかかる課題に鑑みなされたもので、製品として組み上がった縦型ブラインドのルーバーの畳み込み方向を、自由に且つ簡単に変更することができる縦型ブラインドを提供することをその目的とする。
【課題を解決するための手段】
【０００８】
前述した目的を達成するために、本発明の請求項１記載の発明は、ヘッドレール内を移動可能な複数のキャリアの各々からルーバーが吊下られ、操作部の操作によってマスターキャリアがヘッドレール内を移動して他のキャリアを牽引または押し出すことにより、複数のルーバーからなるルーバー群が展開、畳み込み動作をする縦型ブラインドにおいて、
複数のキャリアのうち、両端部に配置されるキャリアがマスターキャリアとなっており、ヘッドレール内には、外周面にネジが形成された開閉軸が設けられ、各マスターキャリアには、該開閉軸に螺合するリードナットと、各マスターキャリアを該開閉軸の回転に伴い開閉軸に沿って移動する状態と、開閉軸の回転によっても移動しない状態とに外部からの切替操作により切り替える切替手段と、が設けられ、該切替手段によって、該マスターキャリアは操作部の操作に応答してヘッドレール内を移動可能な状態と、操作部の操作に応答しない状態とに切替可能とされることを特徴とする。
【００１０】
請求項２記載の発明は、請求項１記載の前記切替手段が、リードナットを回転不能にする状態と、リードナットを回転自在にする状態とに切替可能で、リードナットが回転不能の状態になったときには、マスターキャリアが該開閉軸の回転に伴い開閉軸に沿って移動する状態となり、リードナットが回転自在の状態になったときには、マスターキャリアが開閉軸の回転によっても移動しない状態となることを特徴とする。
【００１１】
請求項３記載の発明は、ヘッドレール内を移動可能な複数のキャリアの各々からルーバーが吊下られ、操作部の操作によってマスターキャリアがヘッドレール内を移動して他のキャリアを牽引または押し出すことにより、複数のルーバーからなるルーバー群が展開、畳み込み動作をする縦型ブラインドにおいて、
複数のキャリアのうち、両端部に配置されるキャリアがマスターキャリアとなっており、ヘッドレール内には、両端部に配置されるマスターキャリア及びそれ以外の複数のキャリアを順次挿通する無端状コードが配回しされ、各マスターキャリアには、外部からの切替操作により切替可能な切替手段が設けられており、該切替手段は、無端状コードをマスターキャリアに固定する状態と解放する状態とに切替可能で、無端状コードがマスターキャリアに固定されたときには、マスターキャリアが無端状コードの移動に伴って移動する状態となり、無端状コードが解放されたときには、マスターキャリアが無端状コードの移動によっても移動しない状態となり、切替手段によって該マスターキャリアは操作部の操作に応答してヘッドレール内を移動可能な状態と、操作部の操作に応答しない状態とに切替可能とされることを特徴とする。
【００１３】
請求項４記載の発明は、請求項１ないし３のいずれか１項に記載のマスターキャリアとそれに隣り合うキャリアとが、スペーサリンクによって連結されており、該スペーサリンクは、マスターキャリアとそれに隣り合うキャリアとを所定間隔を最大間隔として連結するために、その一端がマスターキャリアに固定された固定端となり、その他端が隣り合うキャリアに対して摺動可能に連結される自由端となっており、
各マスターキャリアに一端が固定されたスペーサリンクは、該固定端よりも該自由端の方が他方のマスターキャリアに接近するように設けられることを特徴とする。
【００１４】
請求項５記載の発明は、請求項４記載の一方のマスターキャリアとそれに順次隣り合う少なくとも１つのキャリアにスペーサリンクの一端が固定され、スペーサリンクの他端の自由端が他方のマスターキャリア側に隣り合うキャリアに摺動可能に連結され、
他方のマスターキャリアとそれに順次隣り合う少なくとも１つのキャリアにはスペーサリンクの一端が固定され、スペーサリンクの他端の自由端が一方のマスターキャリア側に隣り合うキャリアに摺動可能に連結され、
一方のマスターキャリアに順次隣り合う少なくとも１つのキャリアと他方のマスターキャリアに順次隣り合う少なくとも１つのキャリアとの間にあるキャリアには、両側に隣り合うキャリアに一端が固定されたスペーサリンクの自由端が摺動可能に連結されることを特徴とする。
【発明の効果】
【００１５】
本発明によれば、両端部に配置されるキャリアがマスターキャリアとなっており、操作部の操作に応答して移動可能な状態のマスターキャリアと、操作部の操作に応答しない状態のマスターキャリアとなるマスターキャリアを切り替えることにより、自由に且つ簡単にルーバーの畳み込み方向を決定及び変更することができる。
【００１６】
また、切替手段を適宜操作することで、外周面にネジが形成された開閉軸の回転によって移動可能な両マスターキャリアのうち、いずれか一方のマスターキャリアのみを操作部の操作に応答して移動可能とし、他方のマスターキャリアのみを移動しないようにすることができる。
【００１７】
請求項２記載の発明によれば、切替手段を適宜操作して、リードナットを回転不能にする状態と回転自在にする状態とを切り替えることによって、いずれか一方のマスターキャリアのみを操作部の操作に応答して移動可能とし、他方のマスターキャリアのみを移動しないようにすることができる。
【００１９】
請求項３記載の発明によれば、切替手段を適宜操作して、無端状コードに固定する状態と、解放する状態とを切り替えることによって、いずれか一方のマスターキャリアのみを操作部の操作に応答して移動可能とし、他方のマスターキャリアのみを移動しないようにすることができる。
【００２０】
請求項４記載の発明によれば、一方のマスターキャリアに一端が固定されたスペーサリンクの自由端が該一端よりも他方のマスターキャリアに接近するようになっているので、ルーバーの畳み込まれる方向が変わった場合でも、一方のマスターキャリアが他方のマスターキャリアの方に向かって畳み込まれた場合に、該一方のマスターキャリアに一端が固定されたスペーサリンクの自由端がヘッドレール端部と干渉しにくい構成とすることができる。
【００２１】
請求項５記載の発明によれば、各マスターキャリアとそれに順次隣り合う少なくとも１つのキャリアに一端が固定されたスペーサリンクの自由端が該一端よりも他方のマスターキャリアに接近するようになっているので、ルーバーの畳み込み方向がいずれの方向に決定または変更されても、一方（他方）のマスターキャリアが他方（一方）のマスターキャリアの方に向かって畳み込まれた場合に、該一方（他方）のマスターキャリアとそれに順次隣り合う少なくとも１つのキャリアのスペーサリンクの自由端のキャリアからの突出代は、他方（一方）のマスターキャリアとそれに順次隣り合う少なくとも１つのキャリアの畳み代によって相殺されて、キャリア全体としてのスペーサリンクの突出代は小さくできるため、スペーサリンクの自由端がヘッドレール端部と干渉することを防止することができる。
【００２２】
両方のマスターキャリアに順次隣り合う少なくとも１つのキャリアの間にあるキャリアには、両隣り合うキャリアに一端が固定されたスペーサリンクの自由端が摺動可能に連結されるために、全てのキャリアがスペーサリンクで連結されることになり、いずれの側のマスターキャリアが操作部の操作に応答して移動しても、全てのキャリアをマスターキャリアの移動に追随させることができる。
【発明を実施するための最良の形態】
【００２３】
以下、図面を用いて本発明を説明する。
図１は本発明の第１実施形態による縦型ブラインド１０のルーバー１８を展開した状態を示す全体正面図であり、図２は図１のルーバー１８が回転して閉鎖されている状態を示す全体正面図である。
【００２４】
縦型ブラインド１０は、ブラケットによって窓枠や壁面等の固定部に固定されるヘッドレール１２を有している。ヘッドレール１２内には、複数のキャリアがヘッドレール１２内を移動可能に設けられており、複数のキャリアのうちの両端部のキャリアは、マスターキャリア１４、１５となっており、両マスターキャリア１４、１５間にはマスターキャリア以外の複数のキャリア１６が配置される。そして、両マスターキャリア１４、１５及び複数のキャリア１６の各々からは、フック５０を介してルーバー１８が吊下げられて、複数のルーバー１８はルーバー群を構成する。
【００２５】
ヘッドレール１２内には、各キャリア１４、１５、１６を挿通して、ヘッドレール１２の長手方向に延びる開閉軸２０が回転可能に軸支される。開閉軸２０はマスターキャリア１４側に近い一端部において、開閉操作部２２に連結される。開閉操作部２２は任意の構成とすることができるが、この例では、開閉軸２０の一端に固定されたプーリと、該プーリに掛け渡された操作コードとから構成される。開閉操作部２２の操作コードを操作してプーリを回転させることによって、開閉軸２０が回転駆動されるようになっている。開閉軸２０の外周面には雄ネジが形成されており、該雄ネジは、両マスターキャリア１４、１５の後述のリードナット３２に螺合するのに対して、複数のキャリア１６とは螺合せずに、開閉軸２０は順次遊嵌状態でキャリア１６を貫通している。
【００２６】
また、ヘッドレール１２内には、各キャリア１４、１５、１６を挿通して、ヘッドレール１２の長手方向に延びる回転軸２４が回転可能に軸支される。回転軸２４もマスターキャリア１４側に近い一端部において、回転操作部２６に連結される。回転操作部２６は任意の構成とすることができるが、この例では、回転軸２４の一端に固定されたプーリと、該プーリに掛け渡された操作コードとから構成される。回転操作部２６の操作コードを操作してプーリを回転させることによって、回転軸２４が回転駆動されるようになっている。回転軸２４の周面には、複数の長手方向に延びる溝が形成され、該溝には、各キャリア１４、１５、１６内にそれぞれ設けられた後述の回転伝達機構４０のウォーム４２が長手方向に相対的に摺動可能に且つ相対的に回転不能に噛み合っている。回転伝達機構４０によって、回転軸２４の回転がフック５０を介してルーバー１８に伝達するようになっている。
【００２７】
図３ないし図５を参照して、マスターキャリア１４、１５の構成について詳細に説明する。両マスターキャリア１４、１５は同じ構成を有するため、一方のマスターキャリアの説明のみとする。図３はマスターキャリアの側面図、図４はリードナットロック時のマスターキャリアの状態を示す断面図、図５はリードナットロック解除時のマスターキャリアの状態を示す断面図である。
【００２８】
マスターキャリア１４、１５はキャリアケース３０を有しており、その内部空間に、該キャリアケース３０を貫通する前記開閉軸２０に螺合するリードナット３２が回転可能に支持されている。即ち、リードナット３２の内周面には、開閉軸２０の雄ネジに螺合する雌ネジが形成されると共に、リードナット３２の外周面には、円周方向に等間隔に複数の突起と係合溝３２ａとが交互に形成される。
【００２９】
キャリアケース３０の下面には、ヘッドレール１２の長手方向に直交する方向に長手軸を有する長孔３０ａが形成されており、長孔３０ａには、該長孔３０ａに対して摺動可能に且つ長孔３０ａから脱落不能に切替部材３４が設けられる。この切替部材３４の下端部３４ｂは、長孔３０ａから下方に突出しており、ヘッドレール１２の下面に長手方向に形成された開口から手を入れてユーザがこの下端部３４ｂを外部から操作可能となっている。
【００３０】
切替部材３４の上端部３４ａは、前記リードナット３２の係合溝３２ａに係合可能となっており、前記長孔３０ａの切替部材３４の位置に応じて、切替部材３４がリードナット３２に接近した係合位置においては、上端部３４ａが係合溝３２ａに係合し、切替部材３４がリードナット３２から離反した離脱位置においては、上端部３４ａが係合溝３２ａから離脱する。切替部材３４は長孔３０ａ内でこの係合位置と離脱位置との間で切替可能となっており、好ましくは、この係合位置と離脱位置とにおいて、非操作時に切替部材３４が不用意に動かないようにするために、切替部材３４に摩擦力または係止力を付与する手段が設けられるとよい。
【００３１】
切替部材３４は、図４に示す係合位置にあるときには、その上端部３４ａがリードナット３２の係合溝３２ａに係合するので、リードナット３２が回転不能となり、後述のようにマスターキャリア１４、１５は操作部の操作に対して応答可能状態となる。また、切替部材３４は、図５に示す離脱位置にあるときには、その上端部３４ａがリードナット３２の係合溝３２ａから離脱するので、リードナット３２が回転自在となり、後述のようにマスターキャリア１４、１５が操作部の操作に対して非応答状態となる。
【００３２】
また、マスターキャリア１４、１５のキャリアケース３０の内部空間には、回転伝達機構４０が設けられる。回転伝達機構４０は、該キャリアケース３０を貫通する前記回転軸２４の溝に対して長手方向に相対的に摺動可能に且つ相対的に回転不能に噛み合うウォーム４２と、ウォーム４２に噛み合わされたウォームホイール４４と、ウォームホイール４４内に配置された摩擦ばね４６と、を有する。ウォームホイール４４は、その回転軸がヘッドレール１２の前後方向の中央部において鉛直方向に向いており、キャリアケース３０に回転可能に支持される前述のフック５０は、ウォームホイール４４と同軸上に且つその上部がキャリアケース３０の下部と重なるようにして配置される。摩擦ばね４６は、このウォームホイール４４とフック５０とが上下方向に一部重なり合う位置において、両者の間に介挿されており、両者に摩擦力を付与する。この回転伝達機構４０によって、回転軸２４の回転が、ウォーム４２、ウォームホイール４４、摩擦ばね４６を介してフック５０に伝達し、フック５０に吊下げられたルーバー１８が回転するようになっている。また、ルーバー１８に負荷が作用して回転できない状況においては、摩擦ばね４６によってウォームホイール４４がフック５０に対して空転することができるために、ルーバー１８または回転伝達機構４０の破損を防止するようになっている。
【００３３】
さらに、キャリアケース３０の上部には、スペーサリンク５２を固定するためのスペーサリンク固定溝３０ｂ、３０ｃが前後に形成されている。
【００３４】
マスターキャリア１４、１５以外のキャリア１６は、リードナット３２、切替部材３４がないことを除いては、ほぼマスターキャリア１４、１５と同じ構成となっている。
【００３５】
図６に示すように、両マスターキャリア１４、１５及び複数のキャリア１６は、それぞれ互いに隣り合う同士が前記スペーサリンク５２により順次連結されて、該スペーサリンク５２により互いの離間間隔が、スペーサリンク５２によって決まる長さを最大間隔として、変化し得るようになっている。
【００３６】
図６は、本発明における好ましいスペーサリンク５２の設置を示す図である。スペーサリンク５２は、その一方の固定端５２ａが一方のキャリアのスペーサリンク固定溝に固定され、その他方の自由端５２ｂが隣り合うキャリアのスペーサリンク固定溝に、該スペーサリンク固定溝に固定された隣り合うスペーサリンク５２の固定端５２ａの上側に重なるようにして、摺動可能に嵌め込まれる。
【００３７】
ここで、ヘッドレール１２の一端部側にあるマスターキャリア１４には、スペーサリンク固定溝３０ｂにスペーサリンク５２の固定端５２ａが固定され、スペーサリンク５２の自由端５２ｂは、ヘッドレール１２の他端部側、換言すればマスターキャリア１５の方に向かって突出するように設定される。逆にヘッドレール１２の他端部側にあるマスターキャリア１５には、スペーサリンク固定溝３０ｃにスペーサリンク５２の固定端５２ａが固定され、スペーサリンク５２の自由端５２ｂは、ヘッドレールの一端部側、換言すればマスターキャリア１４の方に向かって突出するように設定される。マスターキャリア１４、１５にそれぞれ順次隣り合う１つ以上のキャリア１６に一端５２ａが固定されるスペーサリンク５２においては、隣り合うマスターキャリア１４、１５と整列して自由端が該隣り合うマスターキャリア１４、１５と同じ方向に突出するように設定される。そして、複数のキャリア１６の内の１つのキャリア１６ａにおいてのみ、その両方のスペーサリンク固定溝に、両マスターキャリア１４、１５から順次連結される両隣り合った２つのキャリア１６に一端５２ａが固定されるスペーサリンク５２の両方の自由端５２ｂが、摺動自在にそれぞれ嵌め込まれる。この両側からのスペーサリンク５２ｂの自由端が摺動可能に連結されるキャリア１６ａは、複数のキャリア１６のうちの任意の位置のキャリアで良く、必ずしも、複数のキャリア１６のうちの中央に位置するキャリアに限定されるものではないが、好ましくは、中央に位置するキャリアとするとよい。
【００３８】
次に、第１実施形態の作用について説明する。
【００３９】
図１に示すルーバー１８が展開された状態から、ルーバー１８を開閉操作部２２及び回転操作部２６が配置されている一端部方向に畳み込みたい場合には、図７に示すように、ユーザがヘッドレール１２内にあるマスターキャリア１４の切替部材３４を操作して、切替部材３４を離脱位置に移動させる。これによって、マスターキャリア１４の切替部材３４は係合溝３２ａから離脱し、リードナット３２のロックが解除され回転自在となる。このため、リードナット３２は、開閉軸２０が回転されたときに、開閉軸２０と一緒に回転するために、マスターキャリア１４自体は長手方向に移動しなくなる。
【００４０】
一方のマスターキャリア１５の切替部材３４は係合位置に移動させる。これによって、マスターキャリア１５の切替部材３４は係合溝３２ａに係合して、リードナット３２はロックされて回転不能となる。このため、リードナット３２は、開閉軸２０が回転されたときに、回転しないために、マスターキャリア１５は開閉軸２０に沿って長手方向に移動する。
【００４１】
以上の各マスターキャリア１４、１５の設定状態で、開閉操作部２２を操作して、開閉軸２０を図７中矢印Ａで示す方向に回転させると、マスターキャリア１４は、その当初の位置を維持する一方で、マスターキャリア１５は、開閉操作部２２の操作に応答して、図７中矢印Ｂで示すように、マスターキャリア１５が一端部方向へ移動していく。図８に示すように、マスターキャリア１５の移動に伴って、これに当接するキャリア１６がマスターキャリア１５に押し出され、隣り合うキャリア１６同士が順次当接して押し出されることにより、マスターキャリア１５及び順次当接する複数のキャリア１６が一端部方向へ移動していく。また、このとき、図８に示すように、移動するマスターキャリア１５及びキャリア１６のスペーサリンク５２は、これらの自由端５２ｂが摺動して、順次重なり合っていく。
【００４２】
このようなマスターキャリア１５及びキャリア１６の移動により、図１０に示すように、ルーバー１８が一端部方向に順次畳み込まれていき、図１１に示すように、隣り合うマスターキャリア１４、１５及びキャリア１６の全てが当接する状態まで移動すると、全てのルーバー１８が一端部に完全に畳み込まれた状態となる。
【００４３】
図９に示すように、完全に畳み込まれた状態では、マスターキャリア１５及びキャリア１６ａよりもマスターキャリア１５寄りにあるキャリア１６からのスペーサリンク５２の自由端５２ａがヘッドレール１２の一端部側へと突出するが、その突出代が、マスターキャリア１４及びキャリア１６ａよりもマスターキャリア１４寄りにあるキャリア１６の畳み代によって相殺されるために、キャリア全体としてのスペーサリンク５２の突出代は僅かとなり、ヘッドレール１２の一端部に干渉するおそれがない。
【００４４】
次に、開閉操作部２２を反対方向に操作して、開閉軸２０を反対方向に回転させると、マスターキャリア１５は、他端部方向へ移動していき、マスターキャリア１５の移動に伴って、隣り合うキャリア１６がスペーサリンク５２によって牽引されていき、順次、キャリア１６が牽引されて、マスターキャリア１５及び順次隣合う複数のキャリア１６が他端部方向へと移動して、ルーバー１８が展開される。
【００４５】
また、回転操作部２６を操作すると、回転軸２４が回転して、回転伝達機構４０を介して各ルーバー１８が回転することができる（図２参照）。
【００４６】
次に、ルーバー１８を開閉操作部２２及び回転操作部２６が配置されていない他端部方向に畳み込みたい場合には、図１２に示すように、ユーザがヘッドレール１２内にあるマスターキャリア１４の切替部材３４を操作して、切替部材３４を係合位置に移動させ、マスターキャリア１５の切替部材３４を操作して、切替部材３４を離脱位置に移動させる。
【００４７】
以上の各マスターキャリア１４、１５の設定状態で、開閉操作部２２を操作して、開閉軸２０を図１２中矢印Ｃで示す方向に回転させると、マスターキャリア１５は当初の位置を維持する一方で、マスターキャリア１４は、図１２中矢印Ｄで示すように他端部方向へ移動していく。マスターキャリア１４の移動に伴って、これに当接するキャリア１６がマスターキャリア１４に押し出され、隣り合うキャリア１６同士が順次当接して押し出されることにより、マスターキャリア１４及び順次当接する複数のキャリア１６が他端部方向へ移動していく。また、このとき、移動するマスターキャリア１４及びキャリア１６のスペーサリンク５２は、これらの自由端５２ｂが摺動して、順次重なり合っていく。
【００４８】
このようなマスターキャリア１４及びキャリア１６の移動により、図１３に示すように、ルーバー１８が他端部方向に順次畳み込まれていき、図１４に示すように、隣り合うマスターキャリア１４、１５及びキャリア１６の全てが当接する状態まで移動すると、全てのルーバー１８が他端部に完全に畳み込まれた状態となる。
【００４９】
このように、両マスターキャリア１４、１５に設けられている切替部材３４の位置を切替えるだけで、両マスターキャリア１４、１５を操作部の操作により応答可能状態と非応答可能状態とに切替えることができるため、この状態を適宜切替えることにより、自由に且つ簡単に縦型ブラインドの左右どちら側へもルーバー１８を畳み込んだり展開したりすることができる。
【００５０】
次に、本発明の第２実施形態を説明する。第２実施形態では、開閉軸２０を設ける代わりにコードを設けたコード式の縦型ブラインドに適用した例である。
【００５１】
図１５及び図１６に示すように、ヘッドレール１２内には、両端部にあるマスターキャリア１４、１５と両マスターキャリア１４、１５の間にあるマスターキャリア以外の複数のキャリア１６が配置されている。
【００５２】
各マスターキャリア１４、１５には、そのキャリアケース３０の前後に２つの無端状コード挿通部３０ｄ、３０ｅが形成されており、マスターキャリア１４、１５以外のキャリア１６にも、同様の無端状コード挿通部が形成されている。
【００５３】
ヘッドレール１２内には、無端状コード６０が配回されており、無端状コード６０は、マスターキャリア１４の一方の無端状コード挿通部３０ｄ、その他のキャリア１６の一方の無端状コード挿通部、マスターキャリア１５の一方の無端状コード挿通部３０ｄを挿通して、ヘッドレール１２の他端部で折り返されて、マスターキャリア１５の他方の無端状コード挿通部３０ｅ、その他のキャリア１６の他方の無端状コード挿通部、マスターキャリア１４の他方の無端状コード挿通部３０ｅを挿通して、ヘッドレール１２の一端部でヘッドレール１２から導出された後、再び、ヘッドレール１２内に導入されてループを形成しており、ヘッドレール１２から導出された部分が操作部６２を構成している。
【００５４】
両マスターキャリア１４、１５のキャリアケース３０には一方の無端状コード挿通部３０ｄに連通するネジ孔３０ｆが形成されており、該ネジ孔３０ｆには切替部材６４が螺着されている。切替部材６４は、ユーザがこの下端部６４ｂを外部から操作可能となっている。
【００５５】
切替部材６４をネジ孔３０ｆにねじ込むと、切替部材６４の先端部６４ａが無端状コード６０を無端状コード挿通部３０ｄの壁面に押し付けることにより、無端状コード６０はマスターキャリア１４、１５に固定される。この状態では、マスターキャリア１４、１５は操作部の操作に対して応答可能状態となる。逆に切替部材６４のねじ込みを緩めると、無端状コード６０はマスターキャリア１４、１５から解放される。この状態では、マスターキャリア１４、１５は操作部の操作に対して非応答状態となる。
【００５６】
切替部材６４を操作して、マスターキャリア１５に無端状コード６０を固定すると共にマスターキャリア１４から無端状コード６０を解放する設定状態とすることにより、図１７に示すように、操作部６２を操作して、無端状コード６０を所定の方向に移動させると、マスターキャリア１５が無端状コード６０と共に移動し、マスターキャリア１４は移動しないので、ヘッドレール１２の一端部側にルーバー１８を畳み込むことができる。
【００５７】
または、図１７と反対に、切替部材６４を操作して、マスターキャリア１４に無端状コード６０を固定すると共にマスターキャリア１５から無端状コード６０を解放する設定状態とすることにより、操作部６２を操作して、無端状コード６０を所定の方向に移動させると、マスターキャリア１４が無端状コード６０と共に移動し、マスターキャリア１５は移動しないので、ヘッドレール１２の他端部側にルーバー１８を畳み込むことができる。
【００５８】
こうして、切替部材６４により、適宜切替えることにより、自由に且つ簡単に縦型ブラインドの左右どちら側へもルーバーを畳み込んだり展開したりすることができる。
【００５９】
なお、第１実施形態及び第２実施形態に示した切替部材は一例であり、これに限定されるものではなく、マスターキャリアを操作部の操作に対して応答可能な状態と非応答な状態とに切替えることができるものであれば、他の構成を有するものであってもよい。
【００６０】
尚、以上の例では、キャリア１６ａにその両隣り合うキャリア１６に一端が固定されたスペーサリンク５２の自由端５２ｂが摺動可能に連結されることによって、すべてのキャリアがマスターキャリアの移動に追随することができるようになっていたが、これに限るものではなく、キャリア１６ａを設ける代わりに、両マスターキャリア１４、１５から順次連結される両隣り合った２つのキャリア１６を分離可能リンクによって連結することも可能である。この分離可能リンクは、例えば、一方のキャリアに一端が連結されるコードと、該コードの先端に設けられたマグネットまたは磁性体とから構成することができ、他方のキャリアに該マグネットまたは磁性体と磁力によって吸着する磁性体またはマグネットを設ける。これによって、分離可能リンクによって２つのキャリア１６が連結されているときには、マスターキャリアの移動に全てのキャリアが追随することができ、分離可能リンクによって分離されているときには、マスターキャリアの移動に該マスターキャリアにスペーサリンクによって連結されているキャリアのみが追随することができ、ルーバー群の一部のみを展開させることができる。
【図面の簡単な説明】
【００６１】
【図１】本発明の第１実施形態による縦型ブラインドのルーバーを展開した状態を示す全体正面図である。
【図２】図１に示す縦型ブラインドのルーバーを閉鎖した状態を示す全体正面図である。
【図３】マスターキャリアの側面図である。
【図４】リードナットロック時のマスターキャリアの状態を示す断面図である。
【図５】リードナットロック解除時のマスターキャリアの状態を示す断面図である。
【図６】図１に示す状態の縦型ブラインドのヘッドレール内の状態を示す平面図である。
【図７】マスターキャリア１５を移動可能な状態とし、マスターキャリア１４を移動不能な状態として、マスターキャリア１５を移動させている途中の状態を示すヘッドレール内の平面図である。
【図８】図７に示す状態よりも、さらにマスターキャリア１５を移動させている途中の状態を示すヘッドレール内の平面図である。
【図９】ルーバーが完全に畳み込まれた状態を示すヘッドレール内の平面図である。
【図１０】マスターキャリア１５を移動させて、ルーバーを畳み込む途中の状態を示す全体正面図である。
【図１１】ルーバーを操作部が配置されている側の端部に完全に畳み込んだ状態を示す全体正面図である。
【図１２】マスターキャリア１４を移動可能な状態とし、マスターキャリア１５を移動不能な状態として、マスターキャリア１４を移動させている途中の状態を示すヘッドレール内の平面図である。
【図１３】マスターキャリア１４を移動させて、ルーバーを畳み込む途中の状態を示す全体正面図である。
【図１４】ルーバーを操作部が配置されていない側の端部に完全に畳み込んだ状態を示す全体正面図である。
【図１５】第２実施形態による縦型ブラインドのルーバーを展開した状態を示す全体説明図である。
【図１６】第２実施形態によるマスターキャリアの側面図である。
【図１７】マスターキャリア１５を移動可能な状態とし、マスターキャリア１４を移動不能な状態として、マスターキャリア１５を移動させている途中の状態を示すヘッドレール内の平面図である。
【符号の説明】
【００６２】
１０  縦型ブラインド
１２  ヘッドレール
１４、１５  マスターキャリア
１６，１６ａ  キャリア
１８  ルーバー
２０  開閉軸
２６  回転操作部
３２  リードナット
３４、６４  切替部材
５２  スペーサリンク
５２ａ  一端
５２ｂ  自由端
６０  無端状コード
６２  操作部
【図１】
0005329844.tif 000002
【図２】
0005329844.tif 000003
【図３】
0005329844.tif 000004
【図４】
0005329844.tif 000005
【図５】
0005329844.tif 000006
【図６】
0005329844.tif 000007
【図７】
0005329844.tif 000008
【図８】
0005329844.tif 000009
【図９】
0005329844.tif 000010
【図１０】
0005329844.tif 000011
【図１１】
0005329844.tif 000012
【図１２】
0005329844.tif 000013
【図１３】
0005329844.tif 000014
【図１４】
0005329844.tif 000015
【図１５】
0005329844.tif 000016
【図１６】
0005329844.tif 000017
【図１７】
0005329844.tif 000018